(57)【要約】【課題】傘の使用時には傘から取り外すことなく石突側又は把持部（手元）側に収縮させて傘を使用でき、傘を使用しないときや雨後には前記のような収縮させた状態から引き伸ばして折り畳んだ傘の傘地を見栄え良く被覆でき、かつ雨後に折り畳んだ傘の雫で衣服等が濡れないようにすることにある。【解決手段】段階的に僅かに直径の異なる複数の短円筒８を伸縮自在に接続し、傘の使用時に傘２の石突３又は把持部４側に収縮させて傘２を展開使用し、雨後に傘を畳んだ場合は、前記のように収縮させていた状態から複数の短円筒８を引き伸ばして伸長させ、濡れた傘地９を各短円筒８で被覆することができ、かつ各短円筒８等の係止箇所の密着係止手段によって雨水が外に漏れることのないように傘用伸縮ケースを構成した。【選択図】  図１
2005102774.tif 000002
【特許請求の範囲】
【請求項１】
段階的に僅かに直径の異なる複数の短円筒８を順次嵌め合わせ伸縮自在に構成して折り畳んだ傘２に外嵌するように設け、この傘２の展開時に前記各短円筒８を傘２の石突３側に収縮させて傘２を展開し、傘２を折り畳んだ時に石突３側に収縮させていた前記各短円筒８を傘２の把持部4側に引き伸ばして伸長させ、折り畳んだ傘２の傘地９を前記各短円筒８で被覆する傘用伸縮ケースであって、各短円筒８の前記把持部４側である下端部内側には下端内突部１０が設けられ、かつ前記石突３側である上端部内側には上端内突部１１が設けられ、さらに最把持部４側以外の各短円筒８の下端部外側には下端外突部１２が設けられ、前記伸長時に、最把持部４側の短円筒８の下端内突部１０が傘２の把持部４の把持側凹部６に係脱可能に係止でき、大径側の各短円筒８の上端内突部１１が嵌め合わされた小径側の各短円筒８の下端外突部１２に係止し、さらに最石突３側の短円筒８の上端内突部１１が傘２の石突３の石突凹部５に係脱可能に係止できて折り畳んだ傘２の傘地９を各短円筒８で被覆でき、前記収縮時に、最把持部４側の短円筒８の下端内突部１０を把持側凹部６から離脱させて各短円筒８を石突３側に収縮させるとともに、最石突３側の短円筒８の下端内突部１０を石突凹部５に係止できるようにした構成を特徴とする傘用伸縮ケース１。
【請求項２】
段階的に僅かに直径の異なる複数の短円筒８を順次嵌め合わせ伸縮自在に構成して折り畳んだ傘２に外嵌するように設け、この傘２の展開時に前記各短円筒８を傘２の把持部４側に収縮させて傘２を展開し、傘２を折り畳んだ時に把持部４側に収縮させていた前記各短円筒８を傘２の石突３側に引き伸ばして伸長させ、折り畳んだ傘２の傘地９を前記各短円筒８で被覆する傘用伸縮ケースであって、各短円筒８の前記把持部４側である下端部内側には下端内突部１０が設けられ、最石突３側の短円筒８並びに最把持部４側の短円筒８の石突３側である上端部内側には上端内突部１１が設けられ、最石突３側以外の各短円筒８の把持部４側の下端部外側には下端外突部１２が設けられるとともに石突３側の上端部外側には上端外突部１４が設けられ、前記伸長時に、最把持部４側の短円筒８の下端内突部１０が把持部４の把持側凹部６に係脱可能に係止でき、かつ、最石突側の短円筒８以外の各短円筒８の上端外突部１４が係合する各短円筒８の下端内突部１０に係止し、さらに最石突側の短円筒８の上端内突部１１が石突３の石突凹部５に係脱可能に係止できて、折り畳んだ傘２の傘地９を前記各短円筒８で被覆でき、前記収縮時に、最石突側の短円筒８の上端内突部１１を石突凹部５から離脱させて把持部４側に移動させるとともに、各短円筒８の下端内突部１０を係合する各短円筒８の下端外突部１２に順次係止し、さらに最把持部４側の短円筒８の上端内突部１１を把持側凹部６に係止できて、把持部４側に収縮させた複数の短円筒８をグリップ１５として使用できるようにした構成を特徴とする傘用伸縮ケース１ａ。
【請求項３】
前記短円筒８の下端外突部１２と、この下端外突部１２と互いに係合して係止する短円筒８の上端内突部１１とからなる係止部１６において、前記短円筒８に形成した下端外突部１２から所定間隔を以って延設した最端側に下端外副突部１７を形成するとともに、前記下端外突部１２と下端外副突部１７との間にこれら両突部１２，１７より僅かに高さの高いパッキン用突部１８を形成して、前記各突部１２，１７，１８からなる下端外突部群１９としたことを特徴とする請求項１記載の傘用伸縮ケース１。
【請求項４】
前記下端外突部群１９と係止する短円筒８の上端部２０の肉厚を、この短円筒８の他の肉厚より厚く形成したことを特徴とする請求項３記載の傘用伸縮ケース１。
【請求項５】
各短円筒８の上端内突部１１と互いに係合して係止する他の短円筒８の下端外突部１２からなる係止部１６ａにおいて、前記短円筒８に形成した上端内突部１１から所定間隔を以って延設した最端側に上端内副突部２１を形成するとともに、前記上端内突部１１と上端内副突部２１との間にこれら両突部１１，２１より僅かに高さの高いパッキン用突部２２を設けて、前記各突部１１，２１，２２からなる上端内突部群２３としたことを特徴とする請求項１記載の傘用伸縮ケース１。
【請求項６】
前記上端内突部群２３と係止する短円筒８の下端部２４の肉厚を、この短円筒の他の肉厚より厚く形成したことを特徴とする請求項５記載の傘用伸縮ケース１。
【請求項７】
前記短円筒８の下端内突部１０と互いに係合して係止する他の短円筒８の上端外突部１４からなる係止部１６ｂにおいて、前記短円筒８に形成した下端内突部１０から所定間隔を以って延設した最端側に下端内副突部２８を形成するとともに、前記下端内突部１０と下端内副突部２８との間にこれら両突部１０，２８より僅かに高さの高いパッキン用突部１８ａを形成して、前記各突部１０，２８、１８ａからなる下端内突部群２９としたことを特徴とする請求項２記載の傘用伸縮ケース１ａ。
【請求項８】
前記下端内突部群２９と係止する短円筒８の上端部３０の肉厚を、この短円筒８の他の肉厚より厚く形成したことを特徴とする請求項７記載の傘用伸縮ケース１ａ。
【請求項９】
前記短円筒８の下端内突部１０と互いに係合して係止する他の短円筒８の上端外突部１４からなる係止部１６ｃにおいて、前記短円筒８に形成した上端外突部１４から所定間隔を以って延設した最端側に上端外副突部３１を形成するとともに、前記上端外突部１４と上端外副突部３１との間にこれら両突部１４，３１より僅かに高さの高いパッキン用突部１８ｂを形成して、前記各突部１４，３１、１８ｂからなる上端外突部群３２としたことを特徴とする請求項２記載の傘用伸縮ケース１ａ。
【請求項１０】
前記上端外突部群３２と係止する短円筒８の下端部３３の肉厚を、この短円筒８の他の肉厚より厚く形成したことを特徴とする請求項９記載の傘用伸縮ケース１ａ。
【請求項１１】
傘２の把持部４の下部に係脱自在に嵌着するキャップ２５を備え、前記伸長時に最把持部側の短円筒８の下端内突部１０が前記キャップ２５に設けたキャップ凹部２６に係脱可能に係止し、前記収縮時に石突３側に収縮させた複数の短円筒８の上端部に、把持部４から外した前記キャップ２５を前記複数の短円筒８の上端を被うように設けられるようにしたことを特徴とする請求項１、３、４、５または６記載の傘用伸縮ケース１。
【発明の詳細な説明】
【技術分野】
【０００１】
本発明は各種の傘に設けて使用できる傘用伸縮ケースに関し、特に折り畳み傘に設けて雨後に折り畳んだ傘の雫が衣服や、手提げ袋やバッグ等の内部を濡らすのを防止できる傘用伸縮ケースに関する。
【背景技術】
【０００２】
一般的な折り畳み傘にあっては、折り畳んだ傘を筒状の布袋カバーに収納して保管し、降雨が予想されるような時には、布袋カバーに収納した折り畳み傘をバッグ等に入れて外出している。そして外出中に雨が降ってきたらバッグ等から取り出して布袋カバーを外し、布袋カバーをバッグ等に仕舞って傘を差している。また建物の中に入る時や、雨が止んだ時には、傘を一時的に折り畳んで布袋カバーに収納しているが、濡れた傘の雫が布袋カバーを浸透して衣服やバック等の内部についてしまうことがある。そこで、従来、合成樹脂で形成した直径の異なる複数の薄い短円筒を繋いで伸縮自在に構成した傘用伸縮カバーも開発されている。
【０００３】
しかし、従来の傘用伸縮カバーは、折り畳んだ傘を被覆する所謂カバーとして開発されたものであり、見栄えが余りよくなかった。また、折り畳んだ傘の傘地を伸長させた各短円筒の内面と複数の短円筒で内包できても、各短円筒は全体をテーパー状に形成されたものであったため、各短円筒の内面と折り畳んだ傘の傘地との間に多少の隙間が生じ、この隙間から傘地についた雨水が流れ、傘用伸縮カバーの端部から漏れ出して衣服やバッグ等を濡らしてしまうといった問題点がある。
【０００４】
なお、本発明に関連する特許文献としては次の文献等がある。
【特許文献１】実開平３−４７１３号公報
【特許文献２】実開昭６３−２２１１４号公報
【特許文献３】実開昭６２−２４７１４号公報
【特許文献４】特開２００２−２９１５０９号公報
【発明の開示】
【発明が解決しようとする課題】
【０００５】
本発明は前記のような点に鑑みて開発されたものであり、その目的とするところは、傘を使用しないときには引き伸ばして見栄えよく折り畳んだ傘地を被うことができ、傘の使用時には傘から外すことなく石突側又は把持部（手元）側に収縮させて傘を展開使用でき、雨後には折り畳んだ濡れた傘地の雫が衣服や仕舞い込んだかばん等の内部を濡らすのを防止できる作用効果を併せ持つ傘用伸縮ケースを提供することにある。
【課題を解決するための手段】
【０００６】
前記のような目的を有効に達成するために請求項１記載の本発明の傘用伸縮ケースは、段階的に僅かに直径の異なる複数の短円筒８を順次嵌め合わせ伸縮自在に構成して折り畳んだ傘２に外嵌するように設け、この傘２の展開時に前記各短円筒８を傘２の石突３側に収縮させて傘２を展開し、傘２を折り畳んだ時に石突３側に収縮させていた前記各短円筒８を傘２の把持部4側に引き伸ばして伸長させ、折り畳んだ傘２の傘地９を前記各短円筒８で被覆する傘用伸縮ケースであって、各短円筒８の前記把持部４側である下端部内側には下端内突部１０が形成され、かつ前記石突３側である上端部内側には上端内突部１１が形成され、さらに最把持部４側以外の各短円筒８の下端部外側には下端外突部１２が形成され、前記伸長時に、最把持部４側の短円筒８の下端内突部１０が傘２の把持部４の把持側凹部６に係脱可能に係止でき、大径側の各短円筒８の上端内突部１１が嵌め合わされた小径側の各短円筒８の下端外突部１２に係止し、さらに最石突３側の短円筒８の上端内突部１１が傘２の石突３の石突凹部５に係脱可能に係止できて折り畳んだ傘２の傘地９を各短円筒８で被覆でき、前記収縮時に、最把持部４側の短円筒８の下端内突部１０を把持側凹部６から離脱させて各短円筒８を石突３側に収縮させるとともに、最石突３側の短円筒８の下端内突部１０を石突凹部５に係止できるようにした構成にしてある。
【０００７】
また請求項２記載の本発明の傘用伸縮ケースは、段階的に僅かに直径の異なる複数の短円筒８を順次嵌め合わせ伸縮自在に構成して折り畳んだ傘２に外嵌するように設け、この傘２の展開時に前記各短円筒８を傘２の把持部４側に収縮させて傘２を展開し、傘２を折り畳んだ時に把持部４側に収縮させていた前記各短円筒８を傘２の石突３側に引き伸ばして伸長させ、折り畳んだ傘２の傘地９を前記各短円筒８で被覆する傘用伸縮ケースであって、各短円筒８の前記把持部４側である下端部内側には下端内突部１０が形成され、最石突３側の短円筒８並びに最把持部４側の短円筒８の石突３側である上端部内側には上端内突部１１が形成され、最石突３側以外の各短円筒８の把持部４側の下端部外側には下端外突部１２が形成されるとともに石突３側の上端部外側には上端外突部１４が形成され、
前記伸長時に、最把持部４側の短円筒８の下端内突部１０が把持部４の把持側凹部６に係脱可能に係止でき、かつ、最石突側の短円筒８以外の各短円筒８の上端外突部１４が係合する各短円筒８の下端内突部１０に係止し、さらに最石突側の短円筒８の上端内突部１１が石突３の石突凹部５に係脱可能に係止できて、折り畳んだ傘２の傘地９を前記各短円筒８で被覆でき、前記収縮時に、最石突側の短円筒８の上端内突部１１を石突凹部５から離脱させて把持部４側に移動させるとともに、各短円筒８の下端内突部１０を係合する各短円筒８の下端外突部１２に順次係止し、さらに最把持部４側の短円筒８の上端内突部１１を把持側凹部６に係止できて、把持部４側に収縮させた複数の短円筒８をグリップ１５として使用できるようにした構成にしてある。
【０００８】
また請求項３記載の本発明の傘用伸縮ケースは、請求項１記載の傘用伸縮ケースの構成において、前記短円筒８の下端外突部１２と、この下端外突部１２と互いに係合して係止する短円筒８の上端内突部１１とからなる係止部１６において、前記短円筒８に形成した下端外突部１２から最端側に下端外副突部１７を形成するとともに、前記下端外突部１２と下端外副突部１７との間にこれら両突部１２、１７より僅かに高さの高いパッキン用突部１８を形成して、前記各突部１２、１７、１８からなる下端外突部群１９とした構成にしてある。
【０００９】
また請求項４記載の本発明の傘用伸縮ケースは、請求項３記載の傘用伸縮ケースの構成において、前記下端外突部群１９と係止する短円筒８の上端部２０の肉厚を、この短円筒８の他の肉厚より厚く形成した構成にしてある。
【００１０】
また請求項５記載の本発明の傘用伸縮ケースは、請求項１記載の傘用伸縮ケースの構成において、各短円筒８の上端内突部１１と互いに係合して係止する他の短円筒８の下端外突部１２からなる係止部１６ａにおいて、前記短円筒８に形成した上端内突部１１から最端側に上端内副突部２１を形成するとともに、前記上端内突部１１と上端内副突部２１との間にこれら両突部１１、２１より僅かに高さの高いパッキン用突部２２を設けて、前記各突部１１、２１、２２からなる上端内突部群２３とした構成にしてある。
【００１１】
また請求項６記載の本発明の傘用伸縮ケースは、請求項５記載の傘用伸縮ケースの構成において、前記上端内突部群２３と係止する短円筒８の下端部２４の肉厚を、この短円筒の他の肉厚より厚く形成した構成にしてある。
【００１２】
また請求項７記載の本発明の傘用伸縮ケースは、請求２記載の傘用伸縮ケースの構成において、前記短円筒８の下端内突部１０と互いに係合して係止する他の短円筒８の上端外突部１４からなる係止部１６ｂにおいて、前記短円筒８に形成した下端内突部１０から最端側に下端内副突部２８を形成するとともに、前記下端内突部１０と下端内副突部２８との間にこれら両突部１０、２８より僅かに高さの高いパッキン用突部１８ａを形成して、前記各突部１０、２８、１８ａからなる下端内突部群２９とした構成にしてある。
【００１３】
また請求項８記載の本発明の傘用伸縮ケースは、請求７記載の傘用伸縮ケースの構成において、前記下端内突部群２９と係止する短円筒８の上端部３０の肉厚を、この短円筒８の他の肉厚より厚く形成した構成にしてある。
【００１４】
また請求項９記載の本発明の傘用伸縮ケースは、請求２記載の傘用伸縮ケースの構成において、前記短円筒８の下端内突部１０と互いに係合して係止する他の短円筒８の上端外突部１４からなる係止部１６ｃにおいて、前記短円筒８に形成した上端外突部１４から最端側に上端外副突部３１を形成するとともに、前記上端外突部１４と上端外副突部３１との間にこれら両突部１４、３１より僅かに高さの高いパッキン用突部１８ｂを形成して、前記各突部１４、３１、１８ｂからなる上端外突部群３２とした構成にしてある。
【００１５】
また請求項１０記載の本発明の傘用伸縮ケースは、請求９記載の傘用伸縮ケースの構成において、前記上端外突部群３２と係止する短円筒８の下端部３３の肉厚を、この短円筒８の他の肉厚より厚く形成した構成にしてある。
【００１６】
また請求項１１記載の本発明の傘用伸縮ケースは、請求項１、３、４、５または６記載の傘用伸縮ケースの構成において、傘２の把持部４の下部に係脱自在に嵌着するキャップ２５を備え、前記伸長時に最把持部側の短円筒８の下端内突部１０が前記キャップ２５に設けたキャップ凹部２６に係脱可能に係止し、前記収縮時に石突３側に収縮させた複数の短円筒８の上端部に、把持部４から外した前記キャップ２５を前記複数の短円筒８の上端を被うように形成されるようにした構成にしてある。
【発明の効果】
【００１７】
本発明の傘用伸縮ケースでは、折り畳んだ傘地を伸長させた複数の短円筒で内包して被うことができ、雨後に傘地についた雨水が衣服等について濡らすことがない。また、折り畳み傘に設けた場合は、雨後に傘を折り畳んでバッグ等に仕舞い込んでも雨水でバッグ等の内部を濡らしてしまうことがない。また、各短円筒の接続箇所を各突部を係止させて接続することにより、この接続箇所から傘地についた雨水が外に漏れることがない。さらに、短円筒の係止部に副突部とともにパッキン用突部を設けた各短円筒を嵌め合わせることにより、さらに確実に接続箇所（及び係止箇所）から雨水が外に漏れるのを防止できる。また、キャップを備えることにより、傘の使用時に傘用伸縮ケースを収縮させて石突側に位置させた場合に、この収縮させた傘用伸縮ケースの上端部を前記キャップで被うことにより、収縮させた傘用伸縮ケースに雨水が溜まって傘が重くなるといったこともない。
【発明を実施するための最良の形態】
【００１８】
以下に本発明を実施するための最良の形態を図に基づいて説明する。
図１〜図２８は本発明を実施するための最良の形態の傘用伸縮ケース１、１ａ、および前記各傘用伸縮ケース１、１ａを備えた折り畳み傘２に関する図である。なお、本発明の傘用伸縮ケース１、１ａを設ける折り畳み傘２は特別な構造の傘ではなく、中軸７を２段又は３段等に伸縮して使用したり折り畳んで仕舞い込むことができる一般的に周知な構造の折り畳み傘であるが、傘の先端の石突３と、傘の手元の把持部４とに、傘用伸縮ケース１、１ａの両端部を係止する凹部５、６（後述する石突凹部５、把持部凹部６）を形成したものである。勿論、前記石突凹部５、把持部凹部６を有さない折り畳み傘であっても本発明の傘用伸縮ケース１、１ａを設けることは可能である。また、本発明の傘用伸縮ケース１、１ａを設ける傘は、折り畳み傘に限らず、中軸７(便宜上、図４参照)を伸縮できない所謂折り畳み傘でない傘であってもよい。
【００１９】
そこで、先ず図１〜図１２に基づいて本発明の第１の例の傘用伸縮ケース１について説明する。この例の傘用伸縮ケース１は、折り畳み傘２(以後、単に傘２という)を差すときに、各短円筒８を傘２の先端の石突３側に収縮させるタイプのケースである(図４、図６参照)。すなわち、この傘用伸縮ケース１は段階的に僅かに直径（外径、内径）の異なる複数(図示の例では５個)の真っ直ぐな（テーパー形成ではない）短円筒８を順次伸縮自在に繋ぎ合わせて構成したものである。勿論、短円筒８の数は、図示の例に限らず５個以外の複数個であってもよい。前記各短円筒８は合成樹脂または金属等によって厚さ１ｍｍ以下の薄肉で、長さ数ｃｍに形成されたものである。各短円筒８は、折り畳んだ傘２の傘地９(図２参照)に対して摺動可能な極僅かの隙間を以って傘地９の外周面を被覆する内径である。また、この傘用伸縮ケース１は、伸長させた時に折り畳んだ傘２の傘地９全体を完全に被覆できる長さである。
【００２０】
この傘用伸縮ケース１は、前記各短円筒８を順次嵌め合わせ伸縮自在に構成して例えば図１に示すように折り畳んだ傘２に設ける。傘２を展開する時には、石突３側に傘用伸縮ケース１全体を収縮させて傘２を展開し。傘２を折り畳んだ時には、石突３側に収縮させていた各短円筒８を把持部４側に伸長させ、折り畳んだ傘２の傘地９を各短円筒８で被覆することができるものである(図１〜図５参照)。
【００２１】
より具体的に説明すると、前記各短円筒８(図１０〜図１２参照)は、傘２の把持部４側である下端部内側に環状の下端内突部１０が形成され、石突３側である上端部内側に環状の上端内突部１１が形成され、さらに最把持部４側以外の各短円筒８の下端部外側には環状の下端外突部１２が形成されている。勿論、前記各突部１０、１１、１２は、短円筒８に一体に形成され、滑らかな曲線状の外面から成る横断面略半円型状等の丸く隆起したような形状である。勿論、各突部１０、１１、１２は、係止機能とともに雨水漏れを防止する封止機能と着脱機能とを有すならば如何なる断面形状であってもよい。
【００２２】
この傘用伸縮ケース１において(図１１参照)は、嵌め合わす小径側の短円筒８の下端外突部１２と、この小径側の短円筒８の外径より極僅かに大きい外径である大径側の短円筒８の上部内突部１１とが係止した状態となり、各短円筒８は伸長した状態（各々短円筒８を図示のように係止させた状態）で抜けることがない。
【００２３】
また、嵌め合わせた互いの短円筒８を収縮させた場合は、小径側の短円筒８の下端外突部１２に大径側の短円筒８の下端内突部１０が係止し完全な収縮状態（隣合う大径の短円筒８内に小径の短円筒８が収納された状態）となる。
【００２４】
一方、傘２の石突３の下端部近傍には、最も石突３側の短円筒８（最も小径の短円筒８）の上端内突部１１或いは下端内突部１０を離脱可能に係止する環状の溝である石突凹部５が形成されている。石突凹部５の溝の横断面は略半円状であり、石突凹部５の上下側の溝縁１３は前記した離脱可能なように滑らかに形成してある。
【００２５】
また、傘２の把持部４の上端部近傍には(図１１参照)、最も把持部４側の短円筒８（最も大径の短円筒８）の下端内突部１０を離脱可能に係止する環状の把持部凹部６が形成されている。把持部凹部６の溝の横断面は略半円状であり、把持部凹部６の上下側の溝縁１３ａは前記した離脱可能なように滑らかに形成してある。
【００２６】
前記のように直径の僅かに異なる複数の短円筒８を前記のように繋ぎ合わせてなる傘用伸縮ケース１にあっては、折り畳んだ傘２の石突３側を最も直径の大きい短円筒８から挿入し、この最も直径の大きい短円筒８の下端内突部１０を把持部４の把持部凹部６に嵌め合わせて係止するとともに、複数の短円筒８全体を引き伸ばして最も直径の小さい石突３側の短円筒８の上端内突部１１を、石突３の石突凹部５に嵌め合わせて係止する。このようにすることにより複数の短円筒８の伸長状態を保持し、折り畳まれた傘地９を複数の短円筒８で内包して被うことができる。
【００２７】
そして雨の時に前記折り畳み傘２を差す場合は、最も直径の大きい短円筒８を石突３側に動かして、この短円筒８の下端内突部１０を把持部凹部６から外すとともに、最も直径の小さい石突３側の短円筒８の上端内突部１１も石突凹部５から外し、この最も直径の小さい短円筒８をさらに石突３側に移動させて、この短円筒８の下端内突部１０を石突凹部５に嵌め合わせて係止する。このようにした後に前記最も直径の大きい短円筒８から順次複数の短円筒８全体を石突３側に収縮させる。
【００２８】
この場合、図１２に示すように最も直径の小さい短円筒８の下端内突部１０が石突凹部５に係止された状態で、この短円筒８とともに他の各短円筒８は、前記したように大径側の短円筒８の下端内突部１０を小径側の短円筒８の下端外突部１２に下側から係止した状態で石突３側に収縮される。したがって、傘２を逆さにしても各短円筒８が石突３から外に伸長するといったことがない。
【００２９】
この傘２の使用後は、傘２を折り畳んで傘地９を収縮させた中軸７の周囲に巻き付け、石突３側に収縮させていた各短円筒８全体を少し把持部４側に移動させることにより、最も小径(最も内側)な短円筒８の下端内突部１０が石突凹部５から外れ、さらに各短円筒８全体を把持部４側に移動させることにより、最も小径な短円筒８の上端内突部１１が石突凹部５に嵌り込んで係止する。その後は最も大径の短円筒８を把持部４側まで移動させて各短円筒８全体を伸長させ、最も大径(最も外側)の短円筒８の下端内突部１０を把持部凹部６に嵌め合わせて係止することにより、伸長させた各短円筒８で折り畳んだ傘地９を内包して被うことができる。
【００３０】
この場合、各短円筒８どうしの接続(係止)箇所、並びに最石突３側の短円筒８と石突３との接続箇所、および最把持部４側の短円筒８と把持部４の接続(係止)箇所は、隙間のない密なる係止状態によって傘用伸縮ケース１の内側と外側とが封止される。したがって、傘地9についた雨水が外に漏れ出て衣服やかばん等の内部を濡らすこともない。また傘用伸縮ケース１は、傘２から外すことなく石突３側に収縮させるものなので、傘２の使用中に邪魔になったり、従来の布袋ケースのように落として紛失してしまうといったこともない。
【００３１】
次に図１３〜図１９は本発明の別の例の傘用伸縮ケース１ａを折り畳み傘２に設けた例を示し、この傘用伸縮ケース１ａでは傘２の使用時に各短円筒８を把持部４側に収縮させる。
【００３２】
すなわち、この例の傘用伸縮ケース１ａでは、石突３側の短円筒８が最も大径であり、把持部４側の短円筒８が最も小径であり、石突３側から把持部４側にかけて段階的に直径(外径、内径)を極僅かに小さく形成した複数の短円筒８を伸縮自在に接続したものである。また、傘２の石突３、把持部４には前記した例と同様に石突凹部５、把持部凹部６が形成されている。なお、この例における各突部１０、１１、１２、１４の形状、各凹部５、６の形状、形成箇所は前記した例と同様であり説明を省略する。
【００３３】
この例の各短円筒８は、把持部４側である下端部内側に環状の下端内突部１０(図１７参照)が形成されている。また、最も外径の大きな石突３側の短円筒８と、最も外径の小さい把持部４側の短円筒８との上端部内側には、環状の上端内突部１１が形成されている。また、最石突３側の短円筒８以外の短円筒８の下端部外側には環状の下端外突部１２が形成され、さらに最石突３側の短円筒８以外の短円筒８の上端部外側には上端外突部１４が形成されている。
【００３４】
前記短円筒８にあっては、嵌め合わす大径側の短円筒８の下端内突部１０と、この大径側の短円筒８の内径より極僅かに小さい外径である小径側の短円筒８の上部外突部１４との嵌め合い関係を図１８に示す。図示のように小径側の短円筒８の上部外突部１４が、大径側の短円筒８の下端内突部１０に係止する状態に嵌め合わされて、各短円筒８は繋がれる。したがって、各短円筒８を相反する方向に引くことにより前記下端内突部１０と上端外突部１４とが係止し、各短円筒８は伸長した状態で抜けることがない。
【００３５】
また、前記各短円筒８を収縮状態にした場合は、小径側の短円筒８に大径側の短円筒８が外嵌して、大径側の短円筒８の下端内突部１０が小径側の短円筒８の下端外突部１２に係止して収縮状態となる(図１９参照)。
【００３６】
一方、傘２の石突３の石突凹部５には、最も石突３側の短円筒８（最も大径の短円筒８）の上端内突部１１或いは下端内突部１０が離脱可能に係止する。
【００３７】
また、傘２の把持部４の把持部凹部６には、最も把持部４の短円筒８（最も小径の短円筒８）の下端内突部１０が離脱可能に係止する。
【００３８】
前記のように段階的に直径の僅かに異なる複数の短円筒８を、前記のように繋ぎ合わせてなる傘用伸縮ケース１ａにあっては、傘２に設ける。この場合、傘２の把持部４側を最も直径の大きい短円筒８から挿入し、この最も径の小さい短円筒８の下端内突部１０を把持部４の把持部凹部６に嵌め合わせて係止するとともに、複数の短円筒８全体を引き伸ばして最も径の大きい石突３側の短円筒８の上端内突部１１を、石突３の石突凹部５に嵌め合わせて係止する。このようにすることにより複数の短円筒８の伸長状態を保持し、折り畳まれた傘地９を内包して被うことができる。
【００３９】
傘２を差すときには、石突凹部５に係止されている最も大径の短円筒８の上端内突部１１を石突凹部５から外すとともに、把持部凹部６に係止している最も径の小さい短円筒８の下端内突部１０を把持部凹部６から外し、この最も径の小さい短円筒８の上端内突部１１を把持部凹部６に係止する。そして前記最も径の大きい短円筒８から順次、各短円筒８を把持部４側に収縮し、把持部４の周囲に収縮させた複数の短円筒８は、グリップ１５として傘２を差したときに把持部４とともに握って傘２を支持する。
【００４０】
この傘２の使用後は、傘２を折り畳んで傘地９を中軸７の周囲に巻き付け、把持部４に収縮させていた各短円筒８全体を少し石突３４側に移動させることにより、最も小径(最も内側)な短円筒８の上端内突部１１が把持部凹部６から外れ、さらに各短円筒８全体を石突３側に移動させることにより、前記最も小径な短円筒８の下端内突部１０が把持部凹部６に嵌り込んで係止する。その後は最も大径の短円筒８を石突３側まで移動させて各短円筒８全体を伸長させ、最も大径(最も外側)の短円筒８の上端内突部１１を石突凹部５に嵌め合わせて係止することにより、伸長させた各短円筒８で、折り畳んだ傘地９を内包して被うことができる。
【００４１】
この場合も、前記の例の傘用伸縮ケース１と同様に各短円筒８どうしの接続(係止)箇所、並びに最石突３側の短円筒８と石突３との接続箇所、および最把持部４側の短円筒８と把持部４の接続(係止)箇所は、隙間のない密なる係止状態によって傘用伸縮ケース１ａの内側と外側とが封止される。したがって、傘地9についた雨水が外に漏れ出て衣服やかばん等の内部を濡らすこともない。また傘用伸縮ケース１ａは、傘２から外すことなく把持部４側に収縮させるものなので、傘２の使用中に邪魔になったり、従来の布袋ケースのように落として紛失してしまうといったこともない。
【００４２】
また、前記した各例の傘用伸縮ケース１、１ａにおいては、各短円筒８どうしの接続(係止)箇所(係止部１６、１６ａ、１６ｂ、１６ｃ)を、図２０ａ、図２０ｂ、図２１ａ、図２１ｂに示す構成とするのがより好ましい。
【００４３】
すなわち、図２０ａに示すように、短円筒８の下端外突部１２と、この下端外突部１２と互いに係合して係止する短円筒８の上端内突部１１とからなる係止箇所において、前記短円筒８に形成した下端外突部１２から最端側に下端外副突部１７を形成する。この下端外突部１２と下端外副突部１７とは同じ高さであり、前記上端内突部１１とも同じ高さである。さらにこの下端外突部１２と下端外副突部１７との間には、これら両突部１２、１７より僅かに高さの高いパッキン用突部１８（下端外突部１２と下端外副突部１７の高さが例えば０．１５ｍｍであれば、この０．１５＋αｍｍの高さのパッキン用突部１８）を形成して、前記各突部１２、１７、１８からなる下端外突部群１９とする。さらに図示の例では下端外突部群１９と係止時に係合する短円筒８の上端部２０の肉厚をこの短円筒８の他の肉厚より厚く形成してある。このようにした構成の係止箇所を係止部１６とする。勿論、短円筒８の上端部２７の肉厚は、仮想線で示したようにこの短円筒８の他の肉厚と同じであってもよい。
【００４４】
前記した各短円筒８の係止部１６においては、一方の短円筒８(外側)の上端内突部１１に、他方(内側)の短円筒８の下端外突部群１９の下端外突部１２が係止する。この時、前記他方の短円筒８の下端外突部群１９は、前記一方の短円筒８の他の部分に比べ肉厚の厚い上端部２０に強く当接し、さらに下端外突部１２と下端外副突部１７との間のパッキン用突部１８が、前記上端部２０にさらに強く当接することになる。したがって、この係止部１６では、折り畳んだ傘地９の雨水が漏れ出すといったことを下端外突部群１９によって確実に防止することができる。勿論、前記下端外突部群１９の構成においてパッキン用突部１８を設けない構成に設計変更するも自由である。
【００４５】
また、図２１ａに示す各短円筒８どうしの接続(係止)箇所(係止部１６)、すなわち、短円筒８(外側)の上端内突部１１と互いに係合して係止する他の短円筒８(内側)の下端外突部１２からなる係止部分においては、前記短円筒８(外側)に形成した上端内突部１１から最端側に上端内副突部２１を形成するとともに、前記上端内突部１１と上端内副突部２１との間にこれら両突部１１、２１より僅かに高さの高いパッキン用突部２２を形成して、前記各突部１１、２１、２２からなる上端内突部群２３を構成する。さらに図示の例では、この上端内突部群２３と係止時に係合する短円筒８の下端部２４の肉厚をこの短円筒８の他の肉厚より厚く形成してある。さらに図示の例では上端内突部群２３と係止時に係合する短円筒８の下端部２４の肉厚をこの短円筒８の他の肉厚より厚く形成してある。このようにした構成の係止箇所を係止部１６ａとする。勿論、短円筒８の下端部２４の肉厚は、仮想線で示したようにこの短円筒８の他の肉厚と同じであってもよい。この図２１ａに示す係止部１６ａの構成においても、前記図２０ａと同様の作用効果を奏することができる。前記した図２０ａ、図２１ａに示す構成は、前記した傘用伸縮ケース１に適用すればよい。
【００４６】
なお、前記各係止部１６、１６ａの構成においては、下端外突部１２と下端外副突部１７との位置、並びに上端内突部１１と上端内副突部２１との位置は、逆であってもよい。
【００４７】
また、図２０ｂに示すように短円筒８(外側)の下端内突部１０と、この下端内突部１１０と互いに係合して係止する短円筒８(内側)の上端内突部１４とからなる係止箇所において、前記短円筒８(外側)に形成した下端内突部１０から最端側に下端内副突部２８を形成する。この下端内突部１１０と下端内副突部２８とは同じ高さであり、前記上端外突部１４とも同じ高さである。さらにこの下端内突部１０と下端内副突部２８との間には、これら両突部１０、２８より僅かに高さの高いパッキン用突部１８ａ（下端内突部１０と下端内副突部２８の高さが例えば０．１５ｍｍであれば、この０．１５＋αｍｍの高さのパッキン用突部１８ａ）を形成して、前記各突部１０、２８、１８ａからなる下端内突部群２９とする。さらに図示の例では下端内突部群２９と係止時に係合する短円筒８(内側)の上端部３０の肉厚をこの短円筒８の他の肉厚より厚く形成してある。このようにした構成の係止箇所を係止部１６ｂとする。勿論、短円筒８(内側)の上端部３０の肉厚は、仮想線で示したようにこの短円筒８の他の肉厚と同じであってもよい。
【００４８】
前記した各短円筒８の係止部１６ｂにおいては、一方の短円筒８(内側)の上端外突部１４に、他方(外側)の短円筒８の下端内突部群２９の下端内突部１０が係止する。この時、前記他方の短円筒８(外側)の下端内突部群２９は、前記一方の短円筒８(内側)の他の部分に比べ肉厚の厚い上端部３０に強く当接し、さらに下端内突部１０と下端内副突部２８との間のパッキン用突部１８ａが、前記上端部３０にさらに強く当接することになる。したがって、この係止部１６ｂでは、折り畳んだ傘地９の雨水が漏れ出すといったことを下端内突部群２９によって確実に防止することができる。勿論、前記下端外突部群２９の構成においてパッキン用突部１８ａを設けない構成に設計変更するも自由である。
【００４９】
また、図２１ｂに示す各短円筒８どうしの接続(係止)箇所(係止部１６ｃ)、すなわち、短円筒８(外側)の下端内突部１０と互いに係合して係止する他の短円筒８(内側)の上端外突部１４からなる係止部分においては、前記短円筒８(内側)に形成した上端外突部１４から最端側に上端外副突部３１を形成するとともに、前記上端外突部１４と上端外副突部３１との間にこれら両突部１４、３１より僅かに高さの高いパッキン用突部１８ｂを形成して、前記各突部１４、３１、１８ｂからなる上端外突部群３２を構成する。さらに図示の例では、この上端外突部群３２と係止時に係合する短円筒８(外側)の下端部３３の肉厚を、この短円筒８(外側)の他の肉厚より厚く形成してある。さらに図示の例では上端外突部群３２と係止時に係合する短円筒８(外側)の下端部３３の肉厚をこの短円筒８(外側)の他の肉厚より厚く形成してある。このようにした構成の係止箇所を係止部１６ｃとする。勿論、短円筒８(外側)の下端部３３の肉厚は、仮想線で示したようにこの短円筒８(外側)の他の肉厚と同じであってもよい。この図２１ｂに示す係止部１６ｃの構成においても、前記図２０ａと同様の作用効果を奏することができる。
【００５０】
なお、前記各係止部１６ｂ、１６ｃの構成においては、下端内突部１０と下端内副突部２８との位置、並びに上端外突部１４と上端外副突部３１１との位置は、逆であってもよい。
【００５１】
次に図２２は、最も石突３側の短円筒８の上端部内側に前記上端内突部群２３を形成し、この上端内突部群２３を石突凹部５に密着係止させた状態を示している。このように上端内突部群２３と石突凹部５とを密着係止させる構成とすることにより、石突３の石突凹部５から折り畳んだ傘２の雫が漏れ出すといったことを確実に防止することができる。上端内突部群２３の詳細な構成は前記と同様であり説明を省略する。この構成は、前記傘用伸縮ケース１、１ａに備えるのが好ましい。
【００５２】
また図２３は、最も把持部４側の短円筒８の下端部内側に前記下端内突部群２３と同様の構成の下端内突部群２９を形成し、この下端内突部群２９を把持部凹部６に密着係止させる構成を示している。このように下端内突部群２９と把持部凹部６とを密着係止させる構成とすることにより、把持部４の把持部凹部６から折り畳んだ傘２の雫が漏れ出すといったことを確実に防止することができる。下端内突部群２９の詳細な構成は前記した説明と同様であり説明を省略する。この構成は、前記傘用伸縮ケース１、１ａに備えるのが好ましい。
【００５３】
図２４〜図２８は、石突３側に複数の短円筒８を収縮させる構成の本発明の傘用伸縮ケース１を設けた傘２の例であって、この傘２においては、傘２の把持部４の下部に係脱自在に嵌着するキャップ２５を備えている。伸長させた傘用伸縮ケース１で折り畳んだ傘地９を被う時は、最把持部４側の短円筒８の下端内突部１０を、傘２の把持部４に嵌め込んだ前記キャップ２５のキャップ凹部２６に係止させる。また、傘２を差す場合は、前記把持部４からキャップ２５を外し、図２４に示すように石突３側に収縮させた複数の短円筒８の上端部２７に、前記キャップ２５を被せて設ける。傘２を展開して使用中にキャップ２５を前記上端部２７に設けて使用することにより、雨水が石突３側に収縮させた各短円筒８間の隙間や、最も内側の短円筒８内に溜まるのを防止できる。
【００５４】
なお、図１０〜図１２、図１７〜図１９に示す図形は、本発明の傘用伸縮ケース１、１ａの説明の便宜上、各短円筒８、石突３、および把持部４の大きさを誇張して表している。また、本発明の傘用伸縮ケースにおいては、石突３、把持部４に両端部の短円筒８が着脱可能に強く係止できれば、石突３、把持部４に、石突凹部５、把持部凹部６を設けなくとも良い。また、本発明の傘用伸縮ケースを構成する各短円筒の各突部の形成位置、形状は、各短円筒を伸縮させたときに係止できれば、図示のもの以外に設計変更した傘用伸縮ケースであってもよい。勿論、この設計変更した傘用伸縮ケースも、傘の使用時に傘の石突側または把持部側に収縮できるものである。
【図面の簡単な説明】
【００５５】
【図１】本発明の傘用伸縮ケースを設けた折り畳み傘の斜視図である。
【図２】本発明の傘用伸縮ケースを石突側に移動途中の斜視図である。
【図３】本発明の傘用伸縮ケースを石突側に移動させた斜視図である。
【図４】本発明の傘用伸縮ケースを石突側に移動させた折り畳み傘の使用時の斜視図である。
【図５】本発明の傘用伸縮ケースを石突側に移動させた折り畳み傘の使用時の説明図である。
【図６】本発明の傘用伸縮ケースを石突側に移動させた状態の断面図である。
【図７】折り畳んだ折り畳み傘を本発明の傘用伸縮ケースで被った状態の断面図である。
【図８】折り畳んだ折り畳み傘を本発明の傘用伸縮ケースで被った状態の平面図である。
【図９】折り畳んだ折り畳み傘を本発明の傘用伸縮ケースで被った状態の正面図である。
【図１０】本発明の傘用伸縮ケースを折り畳み傘に設ける場合の各短円筒を分解した説明図である。
【図１１】本発明の傘用伸縮ケースを伸長させて折り畳み傘に設けた場合の説明図である。
【図１２】石突３側に傘用伸縮ケースを収縮させた状態の説明図である。
【図１３】本発明の他の傘用伸縮ケースを設けた折り畳み傘の平面図である。
【図１４】本発明の他の傘用伸縮ケースを設けた折り畳み傘の正面図である。
【図１５】図１４の他の傘用伸縮ケースを折り畳み傘に設けた場合の説明図である。
【図１６】本発明の他の傘用伸縮ケースを把持部側に収縮させた状態の説明図である。
【図１７】本発明の他の傘用伸縮ケースを折り畳み傘に設ける場合の各短円筒を分解した説明図である。
【図１８】本発明の他の傘用伸縮ケースを伸長させて折り畳み傘に設けた場合の説明図である。
【図１９】本発明の他の傘用伸縮ケースを把持部４側に収縮させた状態の説明図である。
【図２０】図２０ａは係止部１６、図２０ｂは係止部１６ｂの説明図である。
【図２１】図２１ａは係止部１６ａ、図２１ｂは係止部１６ｃの説明図である。
【図２２】石突３と短円筒８との他の係止構成を示す説明図である。
【図２３】把持部４と短円筒８との他の係止構成を示す説明図である。
【図２４】石突３側に収縮させた傘用伸縮ケースをキャップ２５で被った説明図である。
【図２５】本発明の傘用伸縮ケースを設けた折り畳み傘にキャップ２５を備えた説明図である。
【図２６】折り畳み傘に本発明の傘用伸縮ケースとキャップ２５を備えた平面図である。
【図２７】折り畳み傘に本発明の傘用伸縮ケースとキャップ２５を備えた正面図である。
【図２８】石突３側に収縮させた傘用伸縮ケースをキャップ２５で被った傘の使用時の説明図である。
【符号の説明】
【００５６】
１        傘用伸縮ケース
１ａ      傘用伸縮ケース
２        傘(折り畳み傘)
３        石突
４        把持部
５        石突凹部
６        把持部凹部
８        短円筒
９        傘地
１０      下端内突部
１１      上端内突部
１２      下端外突部
１４      上端外突部
１５      グリップ
１６      係止部
１６ａ    係止部
１６ｂ    係止部
１６ｃ    係止部
１７      下端外副突部
１８      パッキン用突部
１８ａ    パッキン用突部
１８ｂ    パッキン用突部
１９      下端外突部群
２１      上端内副突部
２２      パッキン用突部
２３      上端内突部群
２４      下端部
２５      キャップ
２８      下端内副突部
２９      下端内突部群
３０      上端部
３１      上端外副突部
３２      上端外突部群
３３      下端部
【図１】
2005102774.tif 000003
【図２】
2005102774.tif 000004
【図３】
2005102774.tif 000005
【図４】
2005102774.tif 000006
【図５】
2005102774.tif 000007
【図６】
2005102774.tif 000008
【図７】
2005102774.tif 000009
【図８】
2005102774.tif 000010
【図９】
2005102774.tif 000011
【図１０】
2005102774.tif 000012
【図１１】
2005102774.tif 000013
【図１２】
2005102774.tif 000014
【図１３】
2005102774.tif 000015
【図１４】
2005102774.tif 000016
【図１５】
2005102774.tif 000017
【図１６】
2005102774.tif 000018
【図１７】
2005102774.tif 000019
【図１８】
2005102774.tif 000020
【図１９】
2005102774.tif 000021
【図２０】
2005102774.tif 000022
【図２１】
2005102774.tif 000023
【図２２】
2005102774.tif 000024
【図２３】
2005102774.tif 000025
【図２４】
2005102774.tif 000026
【図２５】
2005102774.tif 000027
【図２６】
2005102774.tif 000028
【図２７】
2005102774.tif 000029
【図２８】
2005102774.tif 000030